(57)【特許請求の範囲】
【請求項１】
カートリッジであって、
二酸化窒素供給源に結合された雌コネクタ、及び
カートリッジに結合された雄コネクタを備え、
該雄コネクタが、回転リング及びリングハウジングを備えており、かつ該雌コネクタに取り付けられるように構成されており、該回転リングが、該雌コネクタを係合し、
該リングハウジングが、少なくとも1つの孔を備え、該雌コネクタが、少なくとも1つのピンを備え、ここで、該雄コネクタが、該雌コネクタに取り付けられている場合に、該リングハウジングの孔が、該雌コネクタのピンと係合し、次いで、該雄コネクタが、該雌コネクタと分離された場合に、該回転リングが回転し、ピンが孔に侵入できないように孔を塞ぎ、
該カートリッジが、入口、出口、及び還元剤で被覆された表面活性物質を備え、該入口が、二酸化窒素を含むガス流を受け取り、該ガス流を、該表面活性物質を通過させて該出口に流体連通させて、該還元剤が、該ガス流に含まれる二酸化窒素と反応して、該二酸化窒素を一酸化窒素に変換するように構成されている、前記カートリッジ。
【請求項２】
前記雄コネクタが、該雄コネクタを前記カートリッジの一部に成形することによって該カートリッジに結合される、請求項１記載のカートリッジ。
【請求項３】
前記雄コネクタが、前記カートリッジのキャップに成形される、請求項１又は２記載のカートリッジ。
【請求項４】
前記雄コネクタが突出部を備え、該突出部が少なくとも1つのほぞを備えている、請求項１〜３のいずれか一項記載のカートリッジ。
【請求項５】
前記回転リング及び前記リングハウジングが、前記雄コネクタの突出部を包囲している、請求項１〜４のいずれか一項記載のカートリッジ。
【請求項６】
前記回転リングが、前記リングハウジング内で回転するように構成されている、請求項１〜５のいずれか一項記載のカートリッジ。
【請求項７】
前記回転リングが、第1の位置まで回転するように付勢され、ここで、該第1の位置は、該回転リングが係合機構から解除されている位置である、請求項１〜６のいずれか一項記載のカートリッジ。
【請求項８】
前記回転リングが、第2の位置に保持され、ここで、該第2の位置は、該回転リングが係合機構によって保持される位置である、請求項１〜７のいずれか一項記載のカートリッジ。
【請求項９】
前記リングハウジングが、少なくとも1つの孔を備え、前記回転リングが、少なくとも1つの延長部を備え、該回転リングが前記第2の位置にある場合に、該回転リングの少なくとも1つの延長部が、該リングハウジングの少なくとも1つの孔に整合しない、請求項８記載のカートリッジ。
【請求項１０】
前記回転リングが第1の位置にある場合に、前記回転リングの少なくとも1つの延長部が、前記リングハウジングの少なくとも1つの孔に整合し、ここで、該第1の位置は、該回転リングが係合機構から解除されている位置である、請求項７〜９のいずれか一項記載のカートリッジ。
【発明の詳細な説明】
【技術分野】
【０００１】
（優先権の主張）
本願は、引用により本明細書中に組み込まれている2010年4月26日出願の先行の米国仮特許出願第61/328,004号の恩典を請求するものである。
【０００２】
（技術分野）
本明細書は、ガスを一方向に移送するための雄型ガスコネクタと雌型ガスコネクタのユニークな組み合わせに関する。
【背景技術】
【０００３】
（背景）
ニトロシルラジカルとしても知られる一酸化窒素（NO）は、フリーラジカルであり、重要なシグナル伝達分子である。例えば、NOは、血管の平滑筋を弛緩させ、これにより血管の拡張をもたらし、血流を増大させることができる。NOは、僅か数秒の寿命で極めて反応性が高く、体内で急速に代謝され得るため、これらの効果は、小さい生物学的領域に限定され得る。
【０００４】
一部の障害又は生理学的状態は、一酸化窒素（NO）の吸入によって調節することができる。低濃度の吸入用一酸化窒素（NO）の使用は、限定されるものではないが、急性肺血管収縮、外傷、吸引又は吸入傷害、肺内の脂肪塞栓、アシドーシス、肺炎、成人呼吸逼迫症候群、急性肺水腫、急性高山病、心臓手術後の急性肺高血圧、新生児の持続性肺高血圧、周産期吸引症候群、硝子膜病、急性肺血栓塞栓症、ヘパリン-プロタミン反応、敗血症、喘息及び喘息発作重積状態、又は低酸素症を含み得る障害の進行を予防する、後退させる、又は制限することができる。また、一酸化窒素（NO）を使用して、慢性肺高血圧、気管支肺異形成、慢性肺血栓塞栓症、及び突発性又は原発性肺高血圧、あるいは慢性低酸素症を治療することもできる。
【０００５】
一般に、一酸化窒素（NO）は、吸入又は他の方法で各自の肺に送達することができる。治療量のNOの投与により、NOの吸入によって調節できる障害又は生理学的状態の患者を治療することができる、あるいはこのような障害又は生理学的状態の従来の治療を補う、又はその必要性を最小限にすることができる。典型的には、NOガスは、窒素ガス（N2）で希釈され、ボンベに入れられた気体の形態で供給することができる。NOは、O2の存在下で酸化されて二酸化窒素（NO2）となり得るため、NOガスのタンク内にどんな微量の酸素（O2）も存在しないように、多大な注意を払わなくてはならない。NOとは異なり、ppmレベルのNO2ガスは、吸入されると毒性が高く、肺に硝酸及び亜硝酸が生成することがある。
【発明の概要】
【課題を解決するための手段】
【０００６】
一態様では、一酸化窒素送達システム用のコネクタの組み合わせは、雌コネクタ及び雄コネクタを含むことができる。雌コネクタは、二酸化窒素供給源に結合することができる。雄コネクタは、カートリッジに結合することができる。一部の実施態様では、カートリッジは、入口、出口、及び還元剤で被覆された表面活性物質を備えることができる。入口は、二酸化窒素を含むガス流を受け取り、該ガス流を、表面活性物質を通過させて出口に流体連通させて、還元剤が、該ガス流に含まれる二酸化窒素と反応して、該二酸化窒素を一酸化窒素に変換することができるように構成することができる。
【０００７】
一部の実施態様では、雄コネクタを、該雄コネクタをカートリッジの一部に成形することによって該カートリッジに結合することができる。一部の実施態様では、雄コネクタを、カートリッジのキャップに成形することができる。
【０００８】
一部の実施態様では、雌コネクタは、開口を備えることができる。一部の実施態様では、雄コネクタは、突出部を備えることができる。一部の実施態様では、雄コネクタの突出部は、雌コネクタの開口に確実に挿入されるように構成することができる。
【０００９】
一部の実施態様では、雌コネクタの開口は、少なくとも1つのほぞを備えることができる。一部の実施態様では、雄コネクタの突出部は、少なくとも1つのほぞ穴を備えることができる。一部の実施態様では、少なくとも1つのほぞは、少なくとも1つのほぞ穴に確実に挿入されるように構成することができる。
【００１０】
一部の実施態様では、雄コネクタは、回転リング及びリングハウジングを備えることができる。一部の実施態様では、回転リング及びリングハウジングは、雄コネクタの突出部を包囲することができる。一部の実施態様では、回転リングは、リングハウジング内で回転するように構成することができる。
【００１１】
一部の実施態様では、回転リングを、第1の位置まで回転するように付勢することができる。一部の実施態様では、回転リングを、係合機構によって第2の位置に保持することができる。一部の実施態様では、リングハウジングは、少なくとも1つの孔を備えることができ、回転リングは、少なくとも1つの延長部を備えることができる。一部の実施態様では、回転リングの少なくとも1つの延長部は、該回転リングが第2の位置にあるときは、リングハウジングの少なくとも1つの孔に整合することができない。一部の実施態様では、回転リングの少なくとも1つの延長部は、該回転リングが第1の位置にあるときは、リングハウジングの少なくとも1つの孔に整合することができる。
【００１２】
一部の実施態様では、雌コネクタは、少なくとも1つのピンを備えることができる。一部の実施態様では、少なくとも1つのピンは、リングハウジングの少なくとも1つの孔に挿入されるように構成することができる。一部の実施態様では、雌コネクタは、係合機構を解除するように構成することができる。一部の実施態様では、雌コネクタのピンは、係合機構を解除するように構成することができる。
【００１３】
一部の実施態様では、雌コネクタは、逆止め弁を備えることができる。一部の実施態様では、逆止め弁は、ガスが二酸化窒素供給源から雌コネクタに流れるのを防止することができる。一部の実施態様では、逆止め弁は、雌コネクタが雄コネクタに接続されていないときに、ガスが二酸化窒素供給源から雌コネクタに流れるのを防止することができる。
【００１４】
別の態様では、カートリッジは、雄コネクタを備えることができる。雄コネクタは、カートリッジに結合することができる。
【００１５】
一部の実施態様では、雄コネクタは、雌コネクタに取り付けられるように構成することができる。一部の実施態様では、カートリッジは、入口、出口、及び還元剤で被覆された表面活性物質を備えることができる。一部の実施態様では、入口は、二酸化窒素を含むガス流を受け取り、該ガス流を、表面活性物質を通過させて出口に流体連通させて、還元剤が、該ガス流に含まれる二酸化窒素と反応して、該二酸化窒素を一酸化窒素に変換することができるように構成することができる。
【００１６】
一部の実施態様では、雄コネクタを、該雄コネクタをカートリッジの一部に成形することによって該カートリッジに結合することができる。一部の実施態様では、雄コネクタを、カートリッジのキャップに成形することができる。
【００１７】
一部の実施態様では、雄コネクタは、突出部を備えることができる。一部の実施態様では、突出部は、少なくとも1つのほぞを備えることができる。
【００１８】
一部の実施態様では、雄コネクタは、回転リング及びリングハウジングを更に備えることができる。一部の実施態様では、回転リング及びリングハウジングは、雄コネクタの突出部を包囲することができる。
【００１９】
一部の実施態様では、回転リングは、リングハウジング内で回転するように構成することができる。一部の実施態様では、回転リングを、第1の位置まで回転するように付勢することができる。一部の実施態様では、回転リングを、係合機構によって第2の位置に保持することができる。
【００２０】
一部の実施態様では、リングハウジングは、少なくとも1つの孔を備えることができ、回転リングは、少なくとも1つの延長部を備えることができる。一部の実施態様では、回転リングの少なくとも1つの延長部は、該回転リングが第2の位置にあるときは、リングハウジングの少なくとも1つの孔に整合することができない。一部の実施態様では、回転リングの少なくとも1つの延長部は、該回転リングが第1の位置にあるときは、リングハウジングの少なくとも1つの孔に整合することができる。
【００２１】
別の態様では、二酸化窒素を一酸化窒素に変換する方法は、雌コネクタを雄コネクタに接続する工程、及び二酸化窒素を含む該ガス流を、該雌コネクタ及び該雄コネクタを介してカートリッジの入口に供給する工程を含む。一部の実施態様では、雌コネクタを、二酸化窒素供給源に接続することができる。一部の実施態様では、雄コネクタを、カートリッジに結合することができる。一部の実施態様では、カートリッジは、入口、出口、及び還元剤で被覆された表面活性物質を備えることができる。一部の実施態様では、入口は、二酸化窒素を含むガス流を受け取り、該ガス流を、表面活性物質を通過させて出口に流体連通させて、還元剤が、該ガス流に含まれる二酸化窒素と反応して、該二酸化窒素を一酸化窒素に変換することができるように構成することができる。一部の実施態様では、雌コネクタを雄コネクタに接続する工程は、該雄コネクタの突出部を該雌コネクタの開口に挿入する工程を含むことができる。
【００２２】
一部の実施態様では、雌コネクタの開口は、少なくとも1つのほぞを備えることができ、雄コネクタの突出部は、少なくとも1つのほぞ穴を備えることができる。一部の実施態様では、雄コネクタの突出部を雌コネクタの開口に挿入する工程は、少なくとも1つのほぞを、少なくとも1つのほぞ穴に挿入する工程を含むことができる。
【００２３】
一部の実施態様では、方法は、雌コネクタの少なくとも1つのピンを、雄コネクタの回転リングの少なくとも1つの延長部と整合することができない該雄コネクタのリングハウジングの少なくとも1つの孔に挿入する工程を更に含むことができる。一部の実施態様では、回転リングを、第1の位置まで回転するように付勢することができ、該回転リングを、係合機構によって第2の位置に保持することができる。
【００２４】
一部の実施態様では、雌コネクタの少なくとも1つのピンを、雄コネクタのリングハウジングの少なくとも1つの孔に挿入して、係合機構を解除することができる。
【００２５】
一部の実施態様では、方法は、雌コネクタの少なくとも1つのピンを、リングハウジングの少なくとも1つの孔から除去する工程を更に含むことができる。一部の実施態様では、方法は、回転リングの第1の位置への回転を可能にする工程であって、該回転リングが該第1の位置にくると、該リングハウジングの少なくとも1つの孔が、該回転リングの少なくとも1つの延長部に整合することができる、工程を更に含むことができる。
【００２６】
別の態様では、カートリッジを製造する方法は、雄コネクタをカートリッジに結合する工程を含むことができる。一部の実施態様では、雄コネクタは、雌コネクタに取り付けられるように構成することができる。一部の実施態様では、カートリッジは、入口、出口、及び還元剤で被覆された表面活性物質を備えことができる。入口は、二酸化窒素を含むガス流を受け取り、該ガス流を、該表面活性物質を通過させて該出口に流体連通させて、還元剤が、該ガス流に含まれる二酸化窒素と反応して、該二酸化窒素を一酸化窒素に変換することができるように構成することができる。
【００２７】
一部の実施態様では、雄コネクタをカートリッジに結合する工程は、該雄コネクタを該カートリッジの一部に成形する工程を含むことができる。
【００２８】
一部の実施態様では、雄コネクタを、カートリッジのキャップに成形することができる。
【００２９】
一部の実施態様では、雄コネクタは、突出部を備えることができ、該突出部は、少なくとも1つのほぞを備えることができる。
【００３０】
一部の実施態様では、雄コネクタは、回転リング及びリングハウジングを更に備えることができる。
【００３１】
他の特徴は、様々な実施態様の特徴を例として例示する添付の図面を参照して以下の詳細な説明を読めば、明らかになるであろう。
【図面の簡単な説明】
【００３２】
【図１】図1は、NO送達システムの線図である。
【００３３】
【図２】図2は、雌コネクタを例示している。
【００３４】
【図３Ａ−Ｂ】図3A及び図3Bは、雌コネクタの寸法を示している。
【００３５】
【図４】図4は、雄コネクタの斜視図を示している。
【００３６】
【図５】図5は、雄コネクタ及び雌コネクタの斜視図を示している。
【００３７】
【図６Ａ−Ｂ】図6A及び図6Bは、雄コネクタの斜視図を示している。
【００３８】
【図７】図7は、雄コネクタ及び雌コネクタの斜視図を示している。
【００３９】
【図８】図8は、雄コネクタ及び雌コネクタを示している。
【００４０】
【図９】図9は、雄コネクタ及び雌コネクタの斜視図を示している。
【００４１】
【図１０】図10は、雄コネクタ及び雌コネクタ、並びにピンの動作の斜視図である。
【００４２】
【図１１】図11は、雄コネクタに取り付けられたリングハウジング及び回転リングの斜視図を示している。
【００４３】
【図１２】図12は、回転リングの図を示している。
【００４４】
【図１３】図13は、リングハウジングの図を示している。
【００４５】
【図１４】図14は、リングハウジング及び回転リングの斜視図である。
【００４６】
【図１５】図15は、雄コネクタの組立分解図を示している。
【００４７】
【図１６】図16は、雄コネクタを例示している。
【００４８】
【図１７】図17は、雄コネクタ及び雌コネクタを示している。
【００４９】
【図１８】図18は、雄コネクタに取り付けられた雌コネクタを示している。
【００５０】
【図１９】図19は、NO送達システムの斜視図である。
【００５１】
【図２０】図20は、NO送達システムの側面図である。
【００５２】
【図２１】図21は、NO送達システムの正面図である。
【００５３】
【図２２】図22は、雄コネクタ及び雌コネクタがハウジング内に示されているNO送達システムの斜視図である。
【発明を実施するための形態】
【００５４】
（詳細な説明）
治療的使用のために一酸化窒素（NO）を哺乳動物へ送達する場合は、哺乳動物への二酸化窒素（NO2）の送達を回避することが重要となり得る。二酸化窒素（NO2）は、酸素（O2）による一酸化窒素（NO）の酸化によって生じ得る。二酸化窒素（NO2）の生成率は、酸素（O2）濃度に一酸化窒素（NO）濃度の二乗を乗じた値に比例し得る。
【００５５】
NO送達システムは、二酸化窒素を一酸化窒素に変換することができる。該システムは、変換を行うための単純かつ有効な機構として、還元剤、例えば、酸化防止剤で被覆された表面活性物質を利用することができる。より具体的には、希釈気体NO2を、還元剤、例えば、酸化防止剤の水溶液で被覆された表面活性物質を通過させることによって、NO2をNOに変換することができる。一例として、水性酸化防止剤がアスコルビン酸（すなわち、ビタミンC）である場合、反応は、周囲温度で定量的であり得る。
【００５６】
表面活性物質の一例は、シリカゲルとすることができる。使用することができる表面活性物質の別の例は綿である。表面活性物質は、液体、例えば、水を保持することができる支持体としても良いし、又は支持体を含んでも良い。表面活性物質は、比較的大きな表面積を有し得る。また、所定の流体は、表面活性物質を通過することができる。水分を吸収できる大きい表面積を有する別の種類の表面活性物質を使用しても良い。
【００５７】
図1は、NO2をNOに変換することによりNOを発生させるためのカートリッジ100を示している。カートリッジ100は、カートリッジ、変換器、NO発生カートリッジ、GENOカートリッジ、又はGENOシリンダ、又はNitrosyl（商標）Primary Cartridgeとも呼ぶことができ、入口105及び出口110を備えることができる。スクリーン及び/又はグラスウール115を、入口105及び/又は出口110に配置することができる。カートリッジ100の残りの部分には、還元剤で被覆された表面活性物質120を充填することができる。表面活性物質は、還元剤を含む飽和水溶液に浸漬して被覆することができる。飽和水溶液は、例えば、酸化防止剤を含む水とすることができる。スクリーン及び/又はグラスウール115もまた、カートリッジ100内に挿入する前に飽和溶液に浸漬することができる。酸化防止剤は、アスコルビン酸とすることができる。
【００５８】
NO2をNOに変換する一般的なプロセスでは、NO2を有するガス流（例えば、空気流）は、入口105から受け取ることができる。ガス流は、水性還元剤、例えば、酸化防止剤で被覆された表面活性物質120を通過して出口110まで流体連通することができる。表面活性物質が湿潤状態を維持し、かつ還元剤が変換で使い尽くされない限り、この一般的なプロセスは、周囲温度でのNO2のNOへの変換に有効であり得る。
【００５９】
入口105はまた、例えば、NO2の供給源からのNO2を有するガス流、例えば、空気流を受け取ることもできる。NO2の供給源は、NO2タンクとも呼ぶことができるNO2の加圧ボンベを含むことができる。入口105はまた、窒素（N2）、空気、又は酸素（O2）中にNO2を含むガス流を受け取ることもできる。変換は、広い濃度範囲で起こり得る。約2ppm〜100ppmのNO2、及び1000ppmを超えるNO2を含むガスの濃度で実験を行った。一例では、長さがおよそ15.24cm（6インチ）であり、直径が3.81cm（1.5インチ）のカートリッジに、最初にアスコルビン酸の飽和水溶液に浸漬したシリカゲルを充填した。この湿潤シリカゲルは、Aldrich Chemical社のA.C.S.試薬グレード99.1％純度と指定されたアスコルビン酸（すなわち、ビタミンC）及びS8 32-1、グレード40のメッシュサイズ35〜70と指定されたFischer Scientific International社のシリカゲルを使用して調製した。他のサイズのシリカゲルも有効であり得る。例えば、約0.318cm（1/8インチ）の直径を有するシリカゲルも機能し得る。
【００６０】
表面活性物質、例えば、シリカゲルは、還元剤を含む溶液、例えば、還元剤を含む飽和溶液で湿潤させることができる。例えば、アスコルビン酸の飽和水溶液；より具体的には、飽和溶液は、水中で35重量％のアスコルビン酸を混合し、攪拌し、そしてこの水/アスコルビン酸混合物をシリカゲルに通して濾過することにより調製した飽和溶液とすることができ、続いて脱水した。NO2のNOへの変換は、還元剤（例えば、アスコルビン酸）で被覆された表面活性物質が湿潤しているときに良好に進行した。NO2のNOへの変換は、還元剤のみ、例えば、アスコルビン酸のみの水溶液では十分に進行することができない。
【００６１】
カートリッジを、湿潤シリカゲル/還元剤で充填することができる。例えば、湿潤シリカゲル/アスコルビン酸で充填されたカートリッジは、12日間連続して毎分150mlの流量で定量的に空気中1,000ppmのNO2をNOに変換することができた。毎分わずか数ml〜5,000mlの流量の範囲の様々な流量及びNO2濃度の試験に成功した。NO2又はN2O4をNOに変換できる、当業者によって決定される任意の適切な還元剤を使用することができる。例えば、還元剤の例として、ハイドロキノン、グルタチオン、チオール、亜硝酸塩、及び/又は1種以上の還元金属塩、例えば、Fe（II）、Mo（VI）、NaI、Ti（III）、又はCr（III）を挙げることができる。還元剤は、酸化防止剤とすることができる。酸化防止剤は、酸化防止剤の水溶液とすることができる。酸化防止剤は、アスコルビン酸、αトコフェロール、又はγトコフェロールとすることができる。当業者によって決定される活性及び特性に合わせて、任意の適切な酸化防止剤を使用することができる。酸化防止剤は、乾燥状態でも湿潤状態でも使用することができる。
【００６２】
酸化防止剤/表面活性物質GENOカートリッジは、吸入治療に使用することができる。このような一例では、該GENOカートリッジは、加圧ボンベ供給源からNOを送達するNO吸入治療用のNO2スクラバーとして使用することができる。GENOカートリッジを使用して、吸入治療中に化学的に生成する全てのNO2を除去することができる。このGENOカートリッジを使用して、有害レベルのNO2を患者が誤って吸入するのを防止することができる。
【００６３】
GENOカートリッジを使用して、従来のNO吸入療法において、吸入治療中に使用される安全装置の一部又は全てを補う又は代替することができる。例えば、1つのタイプの安全装置は、NO2の濃度が設定又は所定の限度、通常はNO2が1ppm以上の場合に空気中のNO2の存在を警告することができる。NOを含んだ空気を患者が吸い込む直前にGENOカートリッジがNO送達システムに配置される場合は、このような安全装置は不要となり得る。GENOカートリッジは、患者がNOを含んだ空気を吸い込む直前に全てのNO2をNOに変換できるため、気体中のNO2の存在を警告する装置を不要にすることができる。
【００６４】
あるいは、又は加えて、患者への送達システム取り付けの直前にNO2除去カートリッジを挿入して、更に安全性を高め、有毒NO2が完全に除去されるようにすることができる。NO2除去カートリッジは、極微量のNO2を除去するために使用されるGENOカートリッジとすることができる。あるいは、NO2除去カートリッジは、加熱活性化アルミナを含むことができる。例えば、Fisher Scientific International社によって供給される、A505-212、メッシュサイズ8〜14と指定された加熱活性化アルミナを含むカートリッジは、空気又は酸素の流れから低レベルのNO2を除去するのに有効であり得、しかもNOガスを損失なく通過させることができる。活性化アルミナ、及びそれと同様の他の高表面積材料を使用して、NO吸入ラインからNO2を除去することができる。
【００６５】
カートリッジは、雄コネクタと雌コネクタの組み合わせによって、NO2タンクとも呼ぶことができるNO2加圧ボンベに接続することができる。このような組み合わせは、ガス流を可能にすることができ、この組み合わせが本明細書に説明されるカートリッジのみに適合できるという点でユニークであり得る。コネクタの組み合わせは、カートリッジを1回又は単回使用に限定することができる。コネクタの組み合わせは、NO送達システムに安全機能を追加する役割を果たすことができる。
【００６６】
図2は、雄コネクタ205に接続された雌コネクタ200を示している。本発明に使用される雌コネクタ200は、Colder Products Company, St. Paul, MNが製造する雌コネクタ（部品番号：80400）とすることができる。適切な雌コネクタは、ポリスルホン、又はNO2に適合する任意の他の適切な材料から形成された既製品の雌コネクタを含むことができる。雌コネクタは、調達の容易さ及びその材料の適合性に基づいて選択することができる。雌コネクタは、耐化学性及び耐洗浄液性を含む厳しい用途に耐えることができる。雌コネクタは、高温、例えば、少なくとも100℃、少なくとも125℃、又は少なくとも150℃の温度に耐えることができる。雌コネクタはまた、加圧滅菌可能である。雌コネクタハウジングは、任意の金属、例えば、軟鋼から形成することができる。雌コネクタは、人間工学的デザインを有することができ、かつ操作が単純な結合をもたらすラッチ210を備えることができる。例えば、ラッチは、大きいシュラウド付きサムラッチとすることができる。図2は、雄コネクタと雌コネクタを互いに固定し、固定解除されるまでの長押しでこれらのコネクタを固定解除できるラッチ210を示している。他のラッチも、当業者には知られている。
【００６７】
図3A及び図3Bを参照すると、雌コネクタ300は、開口315を備えることができる。開口315は、雌コネクタ300の通路320の一部とすることができ、これにより流体が該雌コネクタを通過することができる。流体、典型的にはガス、例えば、二酸化窒素を含むガスは、二酸化窒素供給源から通路320を経て、雌コネクタ300の開口315内に挿入された雄コネクタに移動することができる。
【００６８】
別の特徴である雌コネクタは、逆止め弁（不図示）を備えることができる。逆止め弁は、特に、雌コネクタが雄コネクタに接続されていないときに、二酸化窒素供給源からのガスの流れを防止することができる。逆止め弁は、NO送達システムに接続されていないときにガスの流れを防止することができる。逆止め弁は、NO2が誤って周囲空気に流出するのを防止するために、NO送達システムでは不可欠であろう。図4を参照すると、雄コネクタ400は、上記のようにカートリッジに取り付けることができる。より具体的には、雄コネクタ400は、カートリッジのキャップ425に成形することができる。キャップ425及び雄コネクタ400の全体を、ポリカーボネートから形成された成形部品とすることができる。次いで、雄キャップ部分を、UV硬化接着剤によりカートリッジに接着することができる。雄コネクタ400は、雌コネクタに接続して、Off-The-Shelf VITON（登録商標）Floroeelastomer Oリング（例えば、標準部品番号：AS568A-016）又は任意の適切なOリングによってシールすることができる。図4の要素430を参照されたい。雄コネクタ及び雌コネクタは、FDA適合とすることができる。
【００６９】
図4に示されているように、雄コネクタ405は、突出部435を備えることができる。突出部435は、雌コネクタの開口（不図示）に挿入することができる。図5を参照すると、雌コネクタ500は、開口515を備えることができ、雄コネクタ505は、突出部535を備えることができる。一部の実施態様では、雌コネクタ及び雄コネクタを流れるガスが、コネクタ間で又はコネクタの周囲に漏れないように、該雄コネクタの突出部を、該雌コネクタの開口内に確実に挿入されるように構成することができる。正確には、雄コネクタの突出部は、雌コネクタの開口に嵌め込まれて面一となる。言い換えれば、雄コネクタの突出部の表面を、雌コネクタの開口の表面と面一にすることができる。加えて、一部の実施態様では、雄コネクタは、雌コネクタに挿入されると回転又は回動することができない。雌コネクタに取り付けられた雄コネクタの追加の図が、図18に示されている。
【００７０】
図6A及び図6Bを参照すると、雄コネクタ605は、好ましくは雄コネクタの突出部635に、少なくとも1つのほぞ穴640を備えることができる。少なくとも1つのほぞ穴を備えた雄コネクタは、雌コネクタに適合する「キー付き（keyed）」と呼ぶことができる。キー付き雄コネクタは、ユニークにして、他の雄コネクタが雌コネクタに適合できないようにし、結果として他のカートリッジがNO送達システムに使用できないようにすることができる。一部の実施態様では、本明細書に説明される2つのコネクタのみが一致することができる。
【００７１】
雌コネクタは、少なくとも1つのほぞを備えることができ、より具体的には、少なくとも1つのほぞを、雌コネクタの開口に設けることができる（例えば、図7の要素745を参照）。雄コネクタは、好ましくは該雄コネクタの突出部に、少なくとも1つのほぞ穴を備えることができる（例えば、図7の要素740を参照）。雌コネクタのほぞは、雄コネクタのほぞ穴に挿入されるように構成することができる（例えば、図7の要素740及び745を参照）。
【００７２】
一部の実施態様では、雌コネクタは、好ましくは雌コネクタの開口に、少なくとも1つのほぞ穴（不図示）を備えることができる。雄コネクタは、好ましくは雄コネクタの突出部に、少なくとも1つのほぞ（不図示）を備えることができる。雄コネクタのほぞは、雌コネクタのほぞ穴（不図示）に確実に挿入されるように構成することができる。
【００７３】
少なくとも1つのほぞが、雄コネクタにあるか、又は雌コネクタにあるかにかかわらず、少なくとも1つのほぞは、少なくとも1つのほぞ穴に適合するように構成することができる。例えば、ほぞ間の距離、ほぞの幅、又はほぞの深さは、ユニークなほぞの組み合わせを形成するように構成することができる。少なくとも1つのほぞ穴は、少なくとも1つのほぞの構造に一致するように構成することができる。このようにして、少なくとも1つのほぞと少なくとも1つのほぞ穴は、ユニークに互いに適合することができる。結果として、雌コネクタと雄コネクタは、互いにユニークに適合することができる。少なくとも1つのほぞと少なくとも1つのほぞ穴は、雄コネクタと雌コネクタが互いにどのように結合するかを制限することができる。図7に示されているように、雄コネクタの突出部の少なくとも1つのほぞ穴（すなわち、スロット又はキー付きスロット）と雌コネクタの開口にある同数のほぞ（すなわち、キー）が、互いに適合することができる。一例として、雌コネクタハウジングの4つのキー（例えば、図7の要素745を参照）は、雄コネクタのベース（例えば、図7を参照）にある4つのキー付きスロット（例えば、図6の要素620を参照）内に確実に適合することができる。これらの「キー」及び「スロット」は、互いに適合することができ、これにより雄コネクタに取り付けられたカートリッジの使用が可能となる。雌コネクタは、システムのハウジング内に保持できる特注生産の「キー付き」機械加工部品（例えば、図4の要素422を参照）に取り付けることができる。この「キー付き」部品は、カートリッジのみに適合することができるユニークな接続を可能にすることができる。
【００７４】
図8を参照すると、雌コネクタ800は、少なくとも1つのピン850を備えることができる。ピン850は、リングハウジング860における孔855の中に挿入されるように構成することができる。ピン850をリングハウジング860の孔855に挿入することにより、係合機構（不図示）を解除することができる。
【００７５】
例えば、図9を参照すると、雄カートリッジ905が雌カートリッジ900に差し込まれるときに、2つ以上のピン950を、リングハウジング960の孔955に挿入することができる。ピンが孔に進入する際に、ピンは、タブ（不図示）を外して「回転機能」を有効にすることができる。図10に示されているように、雌コネクタ1000のピン1050が、雄コネクタ1005の孔1055に進入する際に、ピン1050は、係合機構1065を解除することができ、これについては以下に詳細に説明する。
【００７６】
一部の実施態様では、雄コネクタ1105は、回転リング1170及びリングハウジング1160（図11）を備えることができる。回転リング1170及びリングハウジング1160は、雄コネクタ1105の突出部1135を包囲することができる。回転リング1170は、リングハウジング1160内で回転するように（矢印で示されているように）構成することができる。図9は、雌コネクタ900に関連した雄コネクタ905のリングハウジング960の追加の図を示している。
【００７７】
図12を参照すると、回転リング1270は、該リングの周囲の幅を様々にすることができる。例えば、リングの一部の領域1275を、狭くすることができる。一部の領域1280では、リングを広めにすることができる。回転リング1270の最大幅は、該回転リング1270がリングハウジング内で回転できるようにするために、該リングハウジング（不図示）の溝よりも狭くしなければならない。リング1270の広い部分は、延長部1280とすることができる。回転リング1270は、少なくとも1つの延長部1280を備えることができる。ばね1285が延長部1280に力を加えて、回転リング1270が回転するように付勢できるように、該延長部1280に、該ばね1285を取り付けることができる。延長部1280は、リングハウジングの平坦な表面に接触して、回転リングの回転を停止させることができる。
【００７８】
図12を再び参照すると、回転リング1270は、係合機構、例えば、タブ1265を備えることができる。一部の実施態様では、係合機構は、回転リングとは別個にすることができる、例えば、係合機構は、リングハウジングの一部とすることができる。
【００７９】
また、図12を参照すると、回転リング1270は、高さh1を有することができる。
【００８０】
図13を参照すると、リングハウジング1360は、少なくとも1つの孔1355を備えることができる。リングハウジング1360は、突出部1390も備えることができる。図14に示されているように、突出部1490が平面1492を画定することができ、圧縮ばね1485が、回転リング1470を付勢して回転させるために該平面を押圧することができる。突出部1490はまた、平坦な表面1494も備えることができ、該平坦な表面1494は、回転リング1470を付勢する圧縮ばね1485の張力が解放されたときに、該回転リング1470がリングハウジング1460の溝1495内を更に回転するのを防止して、該回転リング1470を第1の位置に停止させることができる。突出部1490は、回転リング1470の延長部1480が平坦な表面1494に接触することによって、該回転リング1470の更なる回転を防止することができる。係合機構、例えば、タブ1465は、回転リング1470を第2の位置に保持して、該回転リング1470の回転を防止することができる。
【００８１】
また、図13を参照すると、リングハウジング1360は、高さh2を有することができる。
【００８２】
図15は、少なくとも1つの孔1555を有するリングハウジング1560、回転リング1570、少なくとも1つのばね1585、及び突出部1535を備えた雄コネクタ1505の可能な構造を例示している。雄コネクタと雌コネクタの組み合わせは、NO送達システムのカートリッジを1回限りの使用に限定することができる。例えば、雄コネクタ1505は、2つ以上の成形部品及び2つ以上のばね1585を備えることができる。図15に示されているように、成形部品は、回転リング1570及びリングハウジング1560を含むことができる。成形部品は、ポリカーボネートから形成することができ、雄キャップ1525の上部に配置することができる。成形部品は、雄コネクタの突出部1535を包囲することができる。成形部品は、金属から、又はコストを削減するために任意の適切な材料、例えば、ポリカーボネートから形成することができる。雄キャップがカートリッジに接着されると、成形部品を図15に示されているように配置することができる。しかしながら、雄キャップは、当業者に知られている他の適切な手段によってもカートリッジに取り付けることができることを理解されたい。
【００８３】
一部の実施態様では、機構の構成要素、例えば、ばね1485及び回転リング1470は、リングハウジング1460の下側に配置することができる（図14を参照）。回転リング1470は、機構が見えないように不透明にすることができる。係合機構、例えば、溝1495の下に配置できる少なくとも1つのタブ1465が存在し得る。次いで、このアセンブリを、例えば、接着剤で接着して雄キャップ（不図示）に配置することができる。アセンブリは、当業者に知られている任意の他の適切な手段によっても雄キャップに取り付けることができる。回転部品が取り付けられると、カートリッジは、使える状態になる。
【００８４】
一部の実施態様では、雄コネクタは、例えば、ピン950をハウジング960の孔955に整合させて、雌コネクタに差し込むことができる（図9；図10も参照）。コネクタ900、905は、これらのコネクタが一体になるまで押し込むことができる。コネクタは、例えば、サムラッチ910によって所定の位置に保持することができる。
【００８５】
回転リングは、付勢されて第1の位置まで回転することができる。例えば、図11では、回転リング1170は、少なくとも1つのばね1185（図14の要素1485も参照）によって付勢されて回転することができる。好ましい実施態様では、ばねは、圧縮ばねとすることができる。しかしながら、回転リングを付勢するための追加の機構、例えば、ねじりばねを使用することもできる。回転リングは、係合機構によって第2の位置に保持することができる。
【００８６】
図16を参照すると、リングハウジング1660は、少なくとも1つの孔1655を備えることができる。リングハウジング1660の少なくとも1つの孔1655は、回転リング1670が第2の位置（図示されていない位置）にあるとき（すなわち、該回転リング1670が係合機構1655によって保持され得るとき）は、該回転リング1670の少なくとも1つの延長部1680に整合できない。リングハウジング1660の少なくとも1つの孔1655は、回転リング1670が第1の位置（図16に示されている）にあるとき（すなわち、該回転リングが係合機構から解除されたとき）は、該回転リング1670の少なくとも1つの延長部1680に整合することができる。図16に示されているように、回転リング1670の延長部1680が、リングハウジング1660の孔1655に整合しているときは、延長部1680が孔1655を塞ぐことができるため、物体、例えば、ピン（不図示）が、該孔1655に進入することができない。
【００８７】
図14を参照すると、ピン（不図示）が孔1455に進入するときに、係合機構1465を解除することができ（例えば、タブを押圧することができ）、ばね1485が、回転リング1470を付勢して回転させることができる。タブ1465がピンによって押圧されると、該タブ1465が、タブ溝1495の下側に曲がり、回転リング1470が回転することができる。この状態では、リングの回転が自由となり、ばねの力（例えば、ばね1485）がリング1470を押圧して、該リングを回転させることができる。ピンが、回転リングの更なる回転を物理的に妨げることができるため、リング1470は、回転して、ピンで止まることができる。しかしながら、ピンを備えた雌カートリッジ（不図示）が取り外されると、ピンが除去されて、回転リング1470の回転が妨げられなくなるため、該回転リングは、その最終位置まで自由に回転することができる。表面、例えば、平坦な表面1494が、リング1470の回転を止めて、最終位置に保持することができる。最終位置にある回転リング1470（例えば、図16を参照）は、孔を塞ぐことができ、雄コネクタ及びカートリッジの再使用を防止する。機構全体を、不透明な部品（例えば、図9の要素960を参照）によって覆うことができる。
【００８８】
図17を参照すると、雌コネクタ1700のピン1750が、雄コネクタ1705の回転リング1760の孔1755から取り外されると、係合機構（不図示）が既に解除されているため、該回転リング1770がリングハウジング1760内で回転することができる。従って、回転リング1770が第1の位置に到達すると、該回転リング1770の延長部1780が、リングハウジング1760の孔1755に整合することができる。図17に示されているように、回転リング1770の延長部1780が、リングハウジング1760の孔1755に整合すると、該延長部1780が、孔1755を塞ぐことができるため、物体、例えば、ピン1750は、孔1755に進入することができない。
【００８９】
雄コネクタと雌コネクタの組み合わせは、NO送達システム（図18〜図22）のカートリッジを1回限りの使用に限定することができる。雄コネクタと雌コネクタの組み合わせは、特定のカートリッジの使用のみを可能にすることができる。図22は、ハウジング2296における雄コネクタ2205及び雌コネクタ2200を示している。雄コネクタ及び雌コネクタは、ホース（不図示）を介して調整器圧力計2298に取り付けることができる。調整器圧力計2298をNO2タンク2222に取り付けて、NO2ガスのカートリッジ2297への流れを制御することができる。
【００９０】
上記の様々な実施態様は、単なる例示として記載したものであり、請求する本発明を限定すると解釈するべきではない。当業者であれば、本明細書に例示され、記載された例としての実施態様及び適用例に従うことなく、かつ添付の特許請求の範囲で規定される、請求する本発明の真の概念及び範囲から逸脱することなく、請求する本発明に対する様々な改良及び変更が可能であることを容易に理解できよう。
【図１】
0005998125.tif 000002
【図２】
0005998125.tif 000003
【図３】
0005998125.tif 000004
【図４】
0005998125.tif 000005
【図５】
0005998125.tif 000006
【図６Ａ−６Ｂ】
0005998125.tif 000007
【図７】
0005998125.tif 000008
【図８】
0005998125.tif 000009
【図９】
0005998125.tif 000010
【図１０】
0005998125.tif 000011
【図１１】
0005998125.tif 000012
【図１２】
0005998125.tif 000013
【図１３】
0005998125.tif 000014
【図１４】
0005998125.tif 000015
【図１５】
0005998125.tif 000016
【図１６】
0005998125.tif 000017
【図１７】
0005998125.tif 000018
【図１８】
0005998125.tif 000019
【図１９】
0005998125.tif 000020
【図２０】
0005998125.tif 000021
【図２１】
0005998125.tif 000022
【図２２】
0005998125.tif 000023